(57)【要約】【目的】  ユーザーに面倒な作業を全く要求することなく、携帯電話などの携帯型（身体装着型を含む）情報端末の置き忘れ・脱落・置き引きその他の盗難などによる紛失を防止したり、紛失したときに迅速に取り戻したりすることができる携帯型情報端末を提供する。【構成】  ユーザーの呼吸音等取得手段と、自らとユーザーとの間の距離を推定するための距離推定手段と、自らとユーザーとの間の距離が所定距離以上離れたかどうかを判定するための判定手段と、ユーザーと自らとの間の距離が所定距離以上になったとき、ユーザーに対してそのことを知らせるか、又は、所定の相手先に対して自らの現在位置情報を知らせるための告知手段とを備えたものである。【選択図】    図１
2009070346.tif 000002
【特許請求の範囲】
【請求項１】
「ユーザーの呼吸音、又は、心拍音、心音、脈拍音、胃腸などの内臓の音、その他の体内の音」を取得又は検出するための呼吸音等取得手段と、
前記呼吸音等取得手段からの出力に基づいて、自らとユーザーとの間の距離が所定距離以上離れたかどうかを判定するための判定手段と、
前記判定手段からの出力に基づいて、ユーザーと自らとの間の距離が所定距離以上になったとき、ユーザーに対してそのことを音、光、振動、その他の手段により知らせるか、又は、所定の相手先（ユーザーを含む）に対して自らの現在位置情報を無線送信により知らせるための告知手段と、
を備えたことを特徴とする、携帯型又は身体装着型の情報端末。
【請求項２】
「ユーザーの呼吸音、又は、心拍音、心音、脈拍音、胃腸などの内臓の音、その他の体内の音」の特徴を予め記録しておくための特徴記録手段と、
「ユーザーの呼吸音、又は、心拍音、心音、脈拍音、胃腸などの内臓の音、その他の体内の音」を取得又は検出するための呼吸音等取得手段と、
前記呼吸音等取得手段からの出力と前記特徴記録手段からの情報とに基づいて、自らとユーザーとの間の距離が所定距離以上離れたかどうかを判定するための判定手段と、
前記判定手段からの出力に基づいて、ユーザーと自らとの間の距離が所定距離以上になったとき、ユーザーに対してそのことを音、光、振動、その他の手段により知らせるか、又は、所定の相手先（ユーザーを含む）に対して自らの現在位置情報を無線送信により知らせるための告知手段と、
を備えたことを特徴とする、携帯型又は身体装着型の情報端末。
【請求項３】
ユーザーの呼吸音及び音声を取得又は検出するための呼吸音等取得手段と、
前記呼吸音等取得手段からの出力に基づいて、自らとユーザーとの間の距離が所定距離以上離れたかどうかを判定するための判定手段と、
前記判定手段からの出力に基づいて、ユーザーと自らとの間の距離が所定距離以上になったとき、ユーザーに対してそのことを音、光、振動、その他の手段により知らせるか、又は、所定の相手先（ユーザーを含む）に対して自らの現在位置情報を無線送信により知らせるための告知手段と、
を備えたことを特徴とする、携帯型又は身体装着型の情報端末。
【請求項４】
ユーザーの呼吸音及び音声の特徴を予め記録しておくための特徴記録手段と、
ユーザーの呼吸音及び音声を取得又は検出するための呼吸音等取得手段と、
前記呼吸音等取得手段からの出力と前記特徴記録手段からの情報とに基づいて、自らとユーザーとの間の距離が所定距離以上離れたかどうかを判定するための判定手段と、
前記判定手段からの出力に基づいて、ユーザーと自らとの間の距離が所定距離以上になったとき、ユーザーに対してそのことを音、光、振動、その他の手段により知らせるか、又は、所定の相手先（ユーザーを含む）に対して自らの現在位置情報を無線送信により知らせるための告知手段と、
を備えたことを特徴とする、携帯型又は身体装着型の情報端末。
【請求項５】
請求項１又は２のいずれかにおいて、
前記判定手段は、前記呼吸音等取得手段がユーザーの呼吸音を取得又は検出できなくなった時間が所定時間以上となったとき、又は前記呼吸音等取得手段が取得又は検出したユーザーの呼吸音の大きさが所定レベル以下となった時間が所定時間以上となったとき、自らとユーザーとの間の距離が所定距離以上離れたかどうかを判定するものである、ことを特徴とする、携帯型又は身体装着型の情報端末。
【請求項６】
請求項３又は４のいずれかにおいて、
前記判定手段は、前記呼吸音等取得手段がユーザーの呼吸音及び音声を取得又は検出できなくなった時間が所定時間以上となったとき、又は前記呼吸音等取得手段が取得又は検出したユーザーの呼吸音及び音声の大きさが所定レベル以下となった時間が所定時間以上となったとき、自らとユーザーとの間の距離が所定距離以上離れたかどうかを判定するものである、ことを特徴とする、携帯型又は身体装着型の情報端末。
【発明の詳細な説明】
【技術分野】
【０００１】
本発明は、携帯型又は身体装着型の情報端末に関する。
【背景技術】
【０００２】
従来より、携帯電話を所定の係止手段によりユーザーのベルトなどに係止して、その係止状態に変動があったとき、携帯電話の置き忘れなどが生じたとしてアラームを発すようにした装置が提案されている（特許文献１参照）。
【特許文献１】特開平０９−１５４１７９号公報
【発明の開示】
【発明が解決しようとする課題】
【０００３】
しかしながら、特許文献１に示すような装置では、ユーザーのベルトなどに係止手段でいちいち携帯電話を係止するという煩雑な作業が面倒であり、また、携帯電話がベルトに係止されているため使い勝手が悪いという問題があった。
【０００４】
本発明はこのような従来技術の課題に着目してなされたものであって、ユーザーに面倒な作業を要求したり使い勝手を悪くすることなく、携帯電話などの携帯型（身体装着型を含む）情報端末の置き忘れ・脱落・置き引きその他の盗難などによる紛失を防止したり、紛失したときに迅速に取り戻したりすることができる、携帯型情報端末を提供することを目的とする。また、本発明は、ユーザーの体内音の取得又は検出によりユーザーが就寝したことや就寝時間を記録・活用することも可能にした装置を提供することを目的とする。
【課題を解決するための手段】
【０００５】
（定義）本発明において、ユーザーの体内音とは、例えば、ユーザーの心拍音、脈拍音、心音、内蔵の動く音、内蔵の中を食物などが移動する音などを含む。ユーザーの「呼吸音」は、理論的には「体内音」に含めてもよいかもしれないが、本明細書では「体内音」には含めていない。また、本明細書においては、「携帯型」という用語は、身体装着型を含む意味で使用することがある。
（本発明の内容）
１．「ユーザーの呼吸音、又は、心拍音、心音、脈拍音、胃腸などの内臓の音、その他の体内の音」を取得又は検出するための呼吸音等取得手段と、前記呼吸音等取得手段からの出力に基づいて、自らとユーザーとの間の距離を推定するための距離推定手段と、前記呼吸音等取得手段からの出力に基づいて、自らとユーザーとの間の距離が所定距離以上離れたかどうかを判定するための判定手段と、前記判定手段からの出力に基づいて、ユーザーと自らとの間の距離が所定距離以上になったとき、ユーザーに対してそのことを音、光、振動、その他の手段により知らせるか、又は、所定の相手先（ユーザーを含む）に対して自らの現在位置情報を無線送信により知らせるための告知手段と（前記距離推定手段からの出力に基づいて、ユーザーと自らとの間の距離が所定の距離以上になったとき、ユーザーに対してそのことを音、光、振動、その他の手段により知らせるか、又は、所定の相手先（ユーザーを含む）に対して自らの現在位置情報を無線送信により知らせるための告知手段と）、を備えたことを特徴とする、携帯型又は身体装着型の情報端末。
２．「ユーザーの呼吸音、又は、心拍音、心音、脈拍音、胃腸などの内臓の音、その他の体内の音」の特徴を予め記録しておくための特徴記録手段と、「ユーザーの呼吸音、又は、心拍音、心音、脈拍音、胃腸などの内臓の音、その他の体内の音」を取得又は検出するための呼吸音等取得手段と、前記呼吸音等取得手段からの出力と前記特徴記録手段からの情報とに基づいて、自らとユーザーとの間の距離が所定距離以上離れたかどうかを判定するための判定手段と、前記判定手段からの出力に基づいて、ユーザーと自らとの間の距離が所定距離以上になったとき、ユーザーに対してそのことを音、光、振動、その他の手段により知らせるか、又は、所定の相手先（ユーザーを含む）に対して自らの現在位置情報を無線送信により知らせるための告知手段と、を備えたことを特徴とする、携帯型又は身体装着型の情報端末。
３．「ユーザーの呼吸音、又は、心拍音、心音、脈拍音、胃腸などの内臓の音、その他の体内の音」を取得又は検出するための呼吸音等取得手段と、前記呼吸音等取得手段からの出力に基づいて、ユーザーが睡眠中かどうかを判定するための就寝判定手段と、前記就寝判定手段からの出力に基づいて、そのことを自らの内部の記録装置に記録するために自らの内部の記録装置に対して所定の信号を送信するか、又は、そのことを外部の記録装置に記録するために外部に対して所定の信号を無線送信するための信号送信手段と、を備えたことを特徴とする、携帯型又は身体装着型の情報端末。
４．「ユーザーの呼吸音、又は、心拍音、心音、脈拍音、胃腸などの内臓の音、その他の体内の音」の特徴を予め記録しておくための特徴記録手段と、「ユーザーの呼吸音、又は、心拍音、心音、脈拍音、胃腸などの内臓の音、その他の体内の音」を取得又は検出するための呼吸音等取得手段と、前記呼吸音等取得手段からの出力と前記特徴記録手段からの情報とに基づいて、ユーザーが睡眠中かどうかを判定するための就寝判定手段と、前記就寝判定手段からの出力に基づいて、そのことを自らの内部の記録装置に記録するために自らの内部の記録装置に対して所定の信号を送信するか、又は、そのことを外部の記録装置に記録するために外部に対して所定の信号を無線送信するための信号送信手段と、を備えたことを特徴とする、携帯型又は身体装着型の情報端末。
５．１又は２のいずれかにおいて、前記判定手段は、前記呼吸音等取得手段がユーザーの呼吸音を取得又は検出できなくなった時間が所定時間以上となったとき、又は前記呼吸音等取得手段が取得又は検出したユーザーの呼吸音の大きさが所定レベル以下となった時間が所定時間以上となったとき、自らとユーザーとの間の距離が所定距離以上離れたかどうかを判定するものである、ことを特徴とする、携帯型又は身体装着型の情報端末。
６．  ３又は４のいずれかにおいて、前記判定手段は、前記呼吸音等取得手段がユーザーの呼吸音及び音声を取得又は検出できなくなった時間が所定時間以上となったとき、又は前記呼吸音等取得手段が取得又は検出したユーザーの呼吸音及び音声の大きさが所定レベル以下となった時間が所定時間以上となったとき、自らとユーザーとの間の距離が所定距離以上離れたかどうかを判定するものである、ことを特徴とする、携帯型又は身体装着型の情報端末。
【発明の効果】
【０００６】
本発明においては、「ユーザーの呼吸音（及び音声）、又は、心拍音、心音、脈拍音、胃腸などの内臓の音、その他の体内の音」を取得又は検出し、その取得又は検出した内容に基づいて、情報端末がユーザーから所定の距離以上離れたと判断されたとき、ユーザーに対して音、光、振動、その他の手段によりアラームで知らせるか、又は、所定の相手先（ユーザーを含む）に対して自らの現在位置情報を無線送信により知らせるようにしている。よって、本発明によれば、ユーザーに面倒な作業を要求したり使い勝手を悪くすることなく、携帯電話などの携帯型（身体装着型を含む）情報端末の置き忘れ・脱落・置き引きその他の盗難などによる紛失を防止したり、紛失したときに迅速に取り戻したりすることができる。
【０００７】
また、本発明においては、「ユーザーの呼吸音（及び音声）、又は、心拍音、心音、脈拍音、胃腸などの内臓の音、その他の体内の音」の特徴を予め記録しておき、「ユーザーの呼吸音（及び音声）、又は、心拍音、心音、脈拍音、胃腸などの内臓の音、その他の体内の音」を取得又は検出して、その取得又は検出した内容と前記予め記録しておいたユーザーの体内音の特徴データとに基づいて、情報端末がユーザーから所定の距離以上離れたと判断されたき、ユーザーに対して音、光、振動、その他の手段によりアラームで知らせるか、又は、所定の相手先（ユーザーを含む）に対して自らの現在位置情報を無線送信により知らせるようにしている。よって、本発明によれば、周囲に他人が居る場合でも、前記の取得又は検出した呼吸音（及び音声）又は体内音がユーザーのものか他人のものかを判別して、より正確に、情報端末がユーザーから所定の距離以上離れたかどうかを判定することができる。よって、本発明によれば、ユーザーに面倒な作業を要求したり使い勝手を悪くすることなく、より正確に、携帯電話などの携帯型（身体装着型を含む）情報端末の置き忘れ・脱落・置き引きその他の盗難などによる紛失を防止したり、紛失したときに迅速に取り戻したりすることができる。
【０００８】
また、本発明においては、「ユーザーの呼吸音、心拍音、心音、脈拍音、胃腸などの内臓の音、その他の体内の音」を取得又は検出して、その取得又は検出内容に基づいて、ユーザーが睡眠中かどうかを判定し、ユーザーが就寝中のときは、そのことを自らの内部の記録装置に記録するために自らの内部の記録装置に対して所定の信号を送信するか、又は、そのことを外部の記録装置（インターネットなどのネットワーク上のサーバーなど）に記録するために外部に対して所定の信号を無線送信するようにしている。よって、本発明によれば、ユーザーやその保護者が自らの毎日の就寝の状況を前記情報端末又は外部記録装置に記録されたデータを見てユーザーの健康管理のために活用することが出来ると共に、ユーザー（一人暮らしの老人など）の保護者（その老人の遠隔に住む家族など）がユーザーの日々の就寝状況を確認してその生活を見守ることに活用することができる。
【０００９】
また、本発明においては、「ユーザーの呼吸音、心拍音、心音、脈拍音、胃腸などの内臓の音、その他の体内の音」の特徴を予め記録しておき、「ユーザーの呼吸音、心拍音、心音、脈拍音、胃腸などの内臓の音、その他の体内の音」を取得又は検出して、その取得又は検出内容と前記予め記録しておいたユーザーの体内音の特徴データとに基づいて、正確に、ユーザーが睡眠中かどうかを判定し、ユーザーが就寝中のときは、そのことを自らの内部の記録装置に記録するために自らの内部の記録装置に対して所定の信号を送信するか、又は、そのことを外部の記録装置（インターネットなどのネットワーク上のサーバーなど）に記録するために外部に対して所定の信号を無線送信するようにしている。よって、本発明によれば、ユーザーやその保護者が自らの毎日の就寝の正確な状況を、前記情報端末又は外部記録装置に記録されたデータを見てユーザーの健康管理のために活用することが出来ると共に、ユーザー（一人暮らしの老人など）の保護者（その老人の遠隔に住む家族など）がユーザーの日々の正確な就寝状況を確認してその生活を見守ることに活用することができる。
【発明を実施するための最良の形態】
【００１０】
本発明を実施するための最良の形態は、以下の実施例１について述べるような形態である。
【実施例１】
【００１１】
次に、本発明の実施例１による、呼吸音又は体内音により置き忘れや置き引きなどによる紛失を防止する機能を備えた携帯電話、を説明する。図１は、本実施例１による携帯電話の全体構成を示す概略ブロック図である。図１において、１は携帯電話に備えられ、ユーザーの呼吸音又は体内音を取得又は検出するための呼吸音又は体内音取得部（高感度マイクなどで構成される）、２は前記呼吸音又は体内音取得部１からの情報に基づいてユーザーと自ら（自機）との距離が所定の距離（例えば約５０〜１００ｃｍ、より望ましくは約６０〜８０ｃｍ）以上に離れたかどうかを判定するための判定部（ＣＰＵなどにより構成される）、３は前記判定部２からの出力に基づいて所定の音響や音声によるアラームを出力するための音告知部（スピーカなどにより構成される）、４はＧＰＳ（グローバルポジショニングシステム）受信機、５は前記判定部２及び前記ＧＰＳ受信機からの情報を受信して所定の処理を行う制御部（ＣＰＵなどにより構成される）、６は前記制御部５からの出力に基づいて前記の事実（ユーザーと自ら（自機）との距離が所定の距離（例えば約５０〜１００ｃｍ、より望ましくは約６０〜８０ｃｍ）以上に離れたこと）を示す情報と自機（携帯電話）の現在位置情報を、外部の記録装置、例えばインターネット７上のサーバー８に公衆携帯電話網９（及び公衆携帯電話網とインターネットとを仲介する図示してないゲートウェイサーバー）を介して送信するための通信部、である。
【００１２】
前記呼吸音又は体内音取得部１は、例えば高感度マイクにより構成され、ユーザーの呼吸音又は体内音（心拍音、脈拍音、心音、内蔵の動く音、内蔵の中を食物などが移動する音）を略リアルタイムに取得又は検出する。前記判定部２は、前記呼吸音又は体内音取得部１からの情報を所定時間毎に受信する。そして、前記判定部２は、例えば、前記呼吸音又は体内音取得部１によってユーザーの呼吸音又は体内音が取得又は検出されなかった時間が所定時間（例えば約５〜１０秒間）以上も継続したとき、自機（携帯電話）がユーザーより所定距離以上に離れた（置き忘れや置き引きなどによる紛失の可能性がある）と判定し、その判定信号を前記制御部５に出力する。なお、本実施例１では、前記判定部２は、前記呼吸音又は体内音取得部１からの情報を所定時間毎に受け取って、例えば、前記呼吸音又は体内音取得部１により取得又は検出されたユーザーの呼吸音又は体内音の大きさが所定の基準レベル以下である時間が所定時間（例えば約５〜１０秒間）以上も継続したとき、自機（携帯電話）がユーザーより所定距離以上に離れた（置き忘れや置き引きなどによる紛失の可能性がある）と判定し、その判定信号を前記制御部５に出力する。
【００１３】
なお、本実施例１においては、前記判定部２を自機の内部に内蔵するようにしたが、本発明では、前記判定部２の機能をインターネット（などのネットワーク）７上のサーバーなどにより実現するようにしてもよい。この場合は、前記呼吸音又は体内音取得部１が取得又は検出した呼吸音又は体内音は、定期的に（又は略リアルタイムに）公衆電話網９及びインターネット７経由で前記サーバーに送信され、前記サーバーはユーザーが自機（携帯電話）と所定距離以上に離れたかどうかを前述のような方法で定期的に判定し、ユーザーが自機（携帯電話）と所定距離以上に離れたかと判定した場合、前記サーバーはその判定結果を略リアルタイムに前記ユーザーの自機（携帯電話）に送信する。
【実施例２】
【００１４】
次に、本発明の実施例２による、呼吸音又は体内音により置き忘れや置き引きなどによる紛失を防止する機能を備えた携帯電話、を図２を参照して説明する。図２に示す本実施例２は、図１に示す前記実施例１と基本的な構成は同一であるので、以下では異なる部分のみを説明し、それ以外は説明を省略する。
【００１５】
本実施例２では、前記実施例１の構成に加えて、予めユーザーの呼吸音又は体内音の特徴を抽出するための呼吸音又は体内音特徴抽出部１１と、予めユーザーの呼吸音又は体内音の特徴情報を記録してくための呼吸音又は体内音特徴記録部１２とを備え、前記判定部２は、前記呼吸音又は体内音取得部１からの出力内容だけでなく、これと前記呼吸音又は体内音特徴記録部１１からの情報とに基づいて、ユーザーが自機から所定距離以上に離れたかどうかを判定するようにしている。
【００１６】
前記呼吸音又は体内音特徴抽出部１１は、予めユーザーの呼吸音又は体内音を入力しながらその特徴を抽出する（この場合のユーザーの呼吸音又は体内音の入力は、前記呼吸音又は体内音取得部１により取得又は検出した呼吸音又は体内音を入力することなどにより行う）。また、特徴情報の抽出の方法としては、従来より公知の、多数の人間のそれぞれの音声の特徴（声紋、周波数、振幅などの特徴）を抽出する方法、などを利用することができる。特に、呼吸音は、人間の喉と口（咽喉）及び鼻から出されるときの音なので、従来より公知の人間の音声から声紋などの特徴情報を抽出（取り出す）方法をほぼそのまま適用して、呼吸音の特徴データを抽出することができる。そして、前記呼吸音又は体内音特徴記録部１２は、このようにして前記呼吸音又は体内音特徴抽出部１１により抽出されたユーザーの呼吸音又は体内音の特徴を記録する。そして、前記判定部２は、まず、前記呼吸音又は体内音取得部１からの呼吸音又は体内音の情報と、前記呼吸音又は体内音特徴記録部１２からのユーザーの呼吸音又は体内音の特徴情報とを照合し、前記呼吸音又は体内音取得部１からの呼吸音又は体内音が本当にユーザーの呼吸音又は体内音であるかどうかを確認し、それを確認した上で、その取得又は検出されたユーザーの呼吸音又は体内音が今までは聞こえていたのに急に聞こえなくなった（又は取得又は検出されたユーザーの呼吸音又は体内音の大きさが急に小さくなった）などの事情を取得又は検出したとき、自機（携帯電話）がユーザーから所定距離以上に離れたと判定する。
【００１７】
すなわち、前記判定部２は、例えば、前記呼吸音又は体内音取得部１によってユーザーの呼吸音又は体内音が取得又は検出されなかった時間が所定時間（例えば約５〜１０秒間）以上も継続したとき、自機（携帯電話）がユーザーより所定距離以上に離れた（置き忘れや置き引きなどによる紛失の可能性がある）と判定し、その判定信号を前記制御部５に出力する。なお、本実施例２では、前記判定部２は、前記呼吸音又は体内音取得部１からの情報を所定時間毎に受け取って、例えば、前記呼吸音又は体内音取得部１により取得又は検出されたユーザーの呼吸音又は体内音の大きさが所定の基準レベル以下である時間が所定時間（例えば約５〜１０秒間）以上も継続したとき、自機（携帯電話）がユーザーより所定距離以上に離れた（置き忘れや置き引きなどによる紛失の可能性がある）と判定し、その判定信号を前記制御部５に出力する。
【００１８】
なお、本実施例２では、前記判定部２は自機の内部に内蔵するようにしたが、本発明では、前記判定部２の機能をネットワーク上のサーバー８などにより実現するようにしてもよい。この場合は、前記呼吸音又は体内音取得部１が取得又は検出した呼吸音又は体内音は、定期的に（又は略リアルタイムに）公衆電話網９及びインターネット７経由で前記サーバー８に送信され、前記サーバー８はユーザーが自機（携帯電話）と所定距離以上に離れたかどうかを前述のような方法で定期的に判定し、ユーザーが自機（携帯電話）と所定距離以上に離れたかと判定した場合、前記サーバー８はその判定結果を略リアルタイムに前記ユーザーの自機（携帯電話）に送信する。なお、この場合は、前記呼吸音又は体内音特徴記録部１２も前記サーバー８側に備えることが望ましい。
【００１９】
以上のように、本実施例２では、前記呼吸音又は体内音取得部１が取得又は検出した呼吸音又は体内音が本当にユーザーのものかどうかを前記ユーザーの呼吸音又は体内音の特徴情報を使用して検討・確認した上で、前記判定を行うようにしているので、より正確な判定が可能になる。すなわち、前記実施例１のように、単に周囲の人間の呼吸音又は体内音を取得又は検出するだけであると、ユーザーの周囲・近傍に複数の人間がいるとき、ユーザーだけが自機から離れても他人の呼吸音又は体内音が取得又は検出されたままになるので、「ユーザーが自機から所定距離以上離れたかどうか」を正確に判定できなくなってしまう恐れがある。この実施例２では、このような恐れを回避することができる。
【実施例３】
【００２０】
次に、本発明の実施例３による、呼吸音又は体内音によりユーザーが就寝したこと及び就寝した時間を記録・活用する機能を備えた携帯電話、を説明する。図３は、本実施例３による携帯電話の全体構成を示す概略ブロック図である。図３において、１は携帯電話に備えられ、ユーザーの呼吸音又は体内音を取得又は検出するための呼吸音又は体内音取得部（高感度マイクなどで構成される）、２は前記呼吸音又は体内音取得部からの情報に基づいてユーザーが就寝したかどうかを判定するための判定部（ＣＰＵなどにより構成される）、３は前記判定部２からの出力と計時部２１（暦・カレンダー・ダイアリー情報と時刻情報を発生するハードウェア又はソフトウェア装置）からの出力に基づいてユーザーが就寝したこと及びその時間（日時）の情報を内部に記録するための内部記録部（自機の内部メモリなどにより構成される）、５は前記判定部２からの情報を受信して所定の処理を行う制御部（ＣＰＵなどにより構成される）、６は前記制御部５からの出力に基づいてユーザーが就寝したこと及びその日時の情報を、外部の記録装置、例えばインターネット７上のサーバー８に公衆携帯電話網９（及び、公衆携帯電話網とインターネットとを仲介する図示してないゲートウェイサーバー）及びインターネット７を介して送信するための通信部、である。
【００２１】
前記呼吸音又は体内音取得部１は、例えば高感度マイクにより構成され、ユーザーの呼吸音又は体内音（心拍音、脈拍音、心音、内蔵の動く音、内蔵の中を食物などが移動する音）を略リアルタイムに取得又は検出する。前記判定部２は、前記呼吸音又は体内音取得部１からの情報を所定時間毎に受け取って、例えば、前記呼吸音又は体内音取得部１からの情報と一般的な就寝時の呼吸音又は体内音のパターンなどの就寝時の呼吸音又は体内音の特徴を示す情報（図３では示していないが、内部メモリに記録されている）とを比較して、ユーザーが就寝した（就寝している）かどうかを判定し、その判定信号を前記制御部５に出力する。
【００２２】
なお、本実施例１では、前記判定部２は自機の内部に内蔵するようにしたが、本発明では、前記判定部２の機能をネットワーク上のサーバーなどにより実現するようにしてもよい。この場合は、前記呼吸音又は体内音取得部１が取得又は検出した呼吸音又は体内音は、定期的に（又は略リアルタイムに）ネットワーク経由で前記サーバー８に送信され、前記サーバー８はユーザーが自機（携帯電話）と所定距離以上に離れたかどうかを判定し、前記サーバー８は略リアルタイムにその判定結果をユーザーの自機（携帯電話）に送信する。
【実施例４】
【００２３】
次に、本発明の実施例２による、呼吸音又は体内音によりユーザーが就寝したこと及び就寝した時間を記録・活用する機能を備えた携帯電話、を図４を参照して説明する。図４に示す本実施例４は、図３に示す前記実施例３と基本的な構成は同一であるので、以下では異なる部分のみを説明し、それ以外は説明を省略する。
【００２４】
本実施例４では、前記実施例３の構成に加えて、予めユーザーの呼吸音又は体内音の特徴を抽出するための呼吸音又は体内音特徴抽出部１１と、予めユーザーの呼吸音又は体内音の特徴情報を記録してくための呼吸音又は体内音特徴記録部１２とを備え、前記判定部２は、前記呼吸音又は体内音取得部１からの出力内容だけでなく、これと前記呼吸音又は体内音特徴記録部１１からの情報とに基づいて、ユーザーが就寝した（就寝している）かどうかを判定するようにしている。
【００２５】
前記呼吸音又は体内音特徴抽出部１１は、予めユーザーの呼吸音又は体内音を入力しながらその特徴を抽出する（この場合のユーザーの呼吸音又は体内音の入力は、前記呼吸音又は体内音取得部１により取得又は検出した呼吸音又は体内音を入力することなどにより行う）。また、特徴情報の抽出の方法としては、従来より公知の、多数の人間のそれぞれの音声の特徴（声紋、周波数、振幅などの特徴）を抽出する方法、などを利用することができる。特に、呼吸音は、人間の喉と口（咽喉）及び鼻から出されるときの音なので、従来より公知の人間の音声から声紋などの特徴情報を抽出（取り出す）方法をほぼそのまま適用して、呼吸音の特徴データを抽出することができる。そして、前記呼吸音又は体内音特徴記録部は、このようにして前記呼吸音又は体内音特徴抽出部１１により抽出されたユーザーの呼吸音又は体内音の特徴情報を記録する。そして、前記判定部２は、前記呼吸音又は体内音取得部１からの呼吸音又は体内音の情報と、前記呼吸音又は体内音特徴記録部１２からのユーザーの呼吸音又は体内音の特徴情報とを照合し、前記呼吸音又は体内音取得部１からの呼吸音又は体内音が本当にユーザーの呼吸音又は体内音かどうかを確認し、それを確認した上で、前記取得又は検出されたユーザーの呼吸音又は体内音が就寝中の呼吸音又は体内音の特徴情報（パターンなど）と一致しているかどうかを判断して、就寝した又は就寝しているかどうか、を判定する。なお、前記呼吸音又は体内音特徴記録部１１は、ユーザーの就寝時の呼吸音（寝息）又は体内音の特徴をも記録しておき、この就寝時の呼吸音又は体内音とユーザーの現在の呼吸音又は体内音との比較により、ユーザーが就寝した・しているかどうか、を判定することが望ましい。
【００２６】
なお、本実施例４では、前記判定部２は自機の内部に内蔵するようにしたが、本発明では、前記判定部２の機能をネットワーク（インターネット７）上のサーバー８などにより実現するようにしてもよい。この場合は、前記呼吸音又は体内音取得部１が取得又は検出した呼吸音又は体内音は、定期的に（又は略リアルタイムに）ネットワーク経由で前記サーバー８に送信され、前記サーバー８はユーザーが自機（携帯電話）と所定距離以上に離れたかどうかを判定し、前記サーバー８は略リアルタイムにその判定結果を前記ユーザーの自機（携帯電話）に送信する。なお、この場合は、前記体内音特徴記録部１２もサーバー８側に備えることが望ましい。
【００２７】
以上のように、本実施例４では、前記取得又は検出されたユーザーの呼吸音又は体内音が本当にユーザーのものかどうかをユーザーの呼吸音又は体内音の特徴情報を使用して検討・確認し、その上で、前記判定を行うようにしているので、より正確な判定が可能になる。すなわち、前記実施例３のように、単に周囲の人間の呼吸音又は体内音を取得又は検出するだけであると、ユーザーの周囲・近傍に複数の人間がいるとき、ユーザーが就寝していない場合でも、その近傍の他人が就寝すれば、「ユーザーが就寝した」という誤った判定がなされてしまう恐れがある。この実施例４では、このような恐れを回避することができる。
【００２８】
以上の実施例の構成は、ハードウェアコンポーネントでいえば、任意のコンピュータのＣＰＵ、メモリ、メモリにロードされたプレセント処理用プログラムなどによって実現されるが、図１，図２、図３、図４などではそれらの連携によって実現される機能ブロックを示している。したがって、これらの機能ブロックがハードウェアのみ、ソフトウェアのみ、又はそれらの組み合わせなど、いろいろな形で実現できることは、当業者には理解されるところである。
【００２９】
以上、本発明の各実施例について説明したが、本発明及び本発明を構成する各構成要件は、それぞれ、前記の各実施例及び前記の各実施例を構成する各要素として述べたものに限定されるものではなく、様々な修正及び変更が可能である。本発明は、添付の特許請求の範囲及びその均等物の範囲内にある修正及び変形を含むものである。
【図面の簡単な説明】
【００３０】
【図１】本発明の実施例１を示すブロック図。
【図２】本発明の実施例２を示すブロック図。
【図３】本発明の実施例３を示すブロック図。
【図４】本発明の実施例４を示すブロック図。
【符号の説明】
【００３１】
１         呼吸音又は体内音取得部
２         判定部
３         スピーカ
４         ＧＰＳ受信機
５         制御部
６         通信部
７         インターネット
８         サーバー
９         公衆携帯電話網
１１     呼吸音又は体内音特徴抽出部
１２     呼吸音又は体内音特徴記録部
２１     計時部
【図１】
2009070346.tif 000003
【図２】
2009070346.tif 000004
【図３】
2009070346.tif 000005
【図４】
2009070346.tif 000006
【手続補正書】
【提出日】平成19年12月31日(2007.12.31)
【手続補正１】
【補正対象書類名】特許請求の範囲
【補正対象項目名】全文
【補正方法】変更
【補正の内容】
【特許請求の範囲】
【請求項１】
ユーザーの呼吸音及び／又は音声の情報を取得又は検出するための呼吸音等取得手段と、
前記呼吸音等取得手段により取得又は検出された情報に基づいて、自らとユーザーとの間の距離が所定距離以上離れたかどうかを判定するための判定手段と、
自らとユーザーとの間の距離が所定距離以上になったとき、前記判定手段からの出力に基づいて、（ａ）ユーザーに対してそのことを音、光、振動、その他の手段により知らせるか、又は、（ｂ）所定の相手先（ユーザーを含む）に対して自らの現在位置情報を無線送信により知らせるための告知手段と、
を備えたことを特徴とする、携帯型又は身体装着型の情報端末。
【請求項２】
ユーザーの呼吸音及び／又は音声の特徴を予め記録しておくための特徴記録手段と、
ユーザーの呼吸音及び／又は音声の情報を取得又は検出するための呼吸音等取得手段と、
前記呼吸音等取得手段により取得又は検出された情報と前記特徴記録手段からの情報とに基づいて、自らとユーザーとの間の距離が所定距離以上離れたかどうかを判定するための判定手段と、
自らとユーザーとの間の距離が所定距離以上になったとき、前記判定手段からの出力に基づいて、（ａ）ユーザーに対してそのことを音、光、振動、その他の手段により知らせるか、又は、（ｂ）所定の相手先（ユーザーを含む）に対して自らの現在位置情報を無線送信により知らせるための告知手段と、
を備えたことを特徴とする、携帯型又は身体装着型の情報端末。
【請求項３】
請求項１又は２のいずれかにおいて、
前記判定手段は、前記呼吸音等取得手段がユーザーの呼吸音及び／又は音声を取得又は検出できなくなった時間が所定時間以上となったとき、又は前記呼吸音等取得手段が取得又は検出したユーザーの呼吸音及び／又は音声の大きさが所定レベル以下となった時間が所定時間以上となったとき、自らとユーザーとの間の距離が所定距離以上離れたと判定するものである、ことを特徴とする、携帯型又は身体装着型の情報端末。